(57)【特許請求の範囲】
【請求項１】
強化ネット材によって定位置に保持された繊維マトリックスからなる水路ライニング用の強化複合マットであって、前記強化ネット材は底部ネット及び３次元状ネットからなり、前記３次元状ネットは前記マットの頂部及び底部を定めており、前記繊維マトリックスは不規則な方向に向けられた多数の繊維から形成されていて前記底部ネットと前記３次元状ネットとの間に挟まれており、前記底部ネットは前記繊維マトリックスを通る間隔の空いた配列で前記３次元状ネットに固定されていることを特徴とする強化複合マット。
【請求項２】
前記底部ネットが多数の実質的に長方形の孔を定めている格子を備え、各孔は５０.８mm（２インチ）より小さい実質的に一様な広がりを有している請求項１による強化複合マット。
【請求項３】
前記３次元状ネットが多数の実質的に長方形の孔を定めている格子を備え、各孔は５０.８mm（２インチ）より小さい実質的に一様な広がりを有している請求項１による強化複合マット。
【請求項４】
前記３次元状ネットに間隔を空けられた配列で固定された頂部ネットを更に備え、前記頂部ネットは多数の実質的に長方形の孔を定めている格子を有し、各孔は５０.８mm（２インチ）より小さい実質的に一様な広がりを有している請求項１の強化複合マット。
【請求項５】
前記底部ネットが紫外線安定化合成材料で形成されている請求項１の複合マット。
【請求項６】
前記頂部ネットが紫外線安定化合成材料で形成されている請求項４の複合マット。
【請求項７】
前記底部ネットが、３次元状ネットの山と谷とに対して実質的に垂直に底部ネットと３次元状ネットとを通る糸で間隔を空けて縫うことにより、３次元状ネットに固定されている請求項１の複合マット。
【請求項８】
前記３次元状ネットが間隔を空けて多数の山と谷とを有し、上記頂部ネットが、３次元状ネットの山と谷とに対して実質的に垂直に頂部ネットと３次元状ネットとを通る糸で間隔を空けて縫うことにより、３次元状ネットに固定されている請求項４の複合マット。
【請求項９】
前記３次元状ネットが多数の山と谷とを有し、底部ネット、繊維マトリックス、３次元状ネット及び頂部ネットを３次元状ネットの山と谷とに対して実質的に垂直に間隔を空けて糸で縫うことにより、全体が一緒に固定されている請求項４の複合マット。
【請求項１０】
前記繊維マトリックスが天然繊維の多数の長いストランドを備えている請求項１又は４の複合マット。
【請求項１１】
前記底部ネットが多数の実質的に菱形にされた孔で形成された格子を備えている請求項１又は４の複合マット。
【請求項１２】
前記繊維マトリックスが合成繊維の長い糸の多数からなる請求項１又は４の複合マット。
【請求項１３】
３次元状ネットに形成された前記山と谷とが、頂部ネットと底部ネットとの間において高さ３.１８mmから２５.４mm（１/８インチから１インチ）で伸びるように選定された寸法にされている請求項１又は４の複合マット。
【請求項１４】
前記３次元状ネットが間隔の空いた多数の山と谷とを有し、その山の近辺で間隔の空いた配列で３次元状ネットに固定された頂部ネットを更に備え、３次元状ネットが頂部ネットと底部ネットとの間に存在する請求項１の複合マット。
【請求項１５】
前記底部ネット、３次元状ネット及び頂部ネットの各が紫外線安定化合成材料で形成されている請求項４の複合マット。
【請求項１６】
前記３次元状ネットが実質的に平行な関係で交互に伸びている多数の山と谷とを有し、前記底部ネットが３次元状ネットの谷に固定されている請求項１又は４の複合マット。
【請求項１７】
前記底部ネット、繊維マトリックス及び３次元状ネットを３次元状ネットに形成された多数の山と谷に対して実質的に垂直に間隔を空けられた関係で糸で縫うことにより、全てが一緒に固定されている請求項１の複合マット。
【請求項１８】
前記底部ネット、前記繊維マトリックス、前記３次元状ネット及び前記頂部ネットを３次元状ネットに形成された多数の山と谷に実質的に垂直に間隔を空けられた関係で糸で縫うことにより、全てが一緒に固定されている請求項４の複合マット。
【請求項１９】
３次元状ネットの山と谷とが水路の計画された流れの方向と実質的に直角に設置されるように意図される請求項１７又は１８の複合マット。
【請求項２０】
強化ネット材によって定位置に保持されている繊維マトリックスを有し、前記強化ネット材は孔の格子を定めている底部ネット及び実質的に平行な関係で交互に伸びている多数の山と谷とを有する３次元状ネットからなり、前記繊維マトリックスは底部ネットと３次元状ネットとの間に挟まれており、前記底部ネットは繊維マトリックスを通る間隔の空いた配列で谷のごく近くで３次元状ネットに固定されており、孔の格子を定める頂部ネットが３次元状ネットの山に間隔の空いた配列で固定されていることを特徴とする強化複合マット。
【請求項２１】
侵食の管理を改善するために天然土壌の充填及び植物の根のからまりを促進するように沈殿物、根覆い、葉及び落ち葉を捕捉する３段階強化複合マットであって、強化ネット材により定位置に保持される多数の不規則に向けられた繊維で形成された繊維マトリックスを備え、前記強化ネット材は孔の格子を定めている紫外線安定化底部ネット及び紫外線安定化３次元状ネットを備え、前記３次元状ネットが実質的に平行な関係で伸びている交互になっている多数の山と谷とを有し、前記繊維マトリックスは前記底部ネットと前記３次元状ネットとの間に挟まれ、前記底部ネットは前記３次元状ネットの前記谷のごく近くに繊維マトリックスを通る間隔を空けられた配列で固定され、前記底部ネットは水路の流速が高いときの繊維の損失を無くすために前記繊維マトリックスを保持する構造的な支持部として作用し、前記３次元状ネットは、沈殿物及び落ち葉を捕捉しかつ天然土壌の充填と根の強化を促進するために前記繊維マトリックスと関連して３次元構造を形成し、前記繊維マトリックスは下にある土、種子及び水分を保持することにより水路面のための侵食の管理と根覆いの堆積とを一時的及び長期的に提供し、前記３次元状ネットも充填された土、葉及び落ち葉を収容し、最終的に植物の根のからまりと補強のための永久的なマトリックスを提供する完全な３次元構造を形成することを特徴とする３段階強化複合マット。
【発明の詳細な説明】
【０００１】
【産業上の利用分野】
本発明は、水路のライニングに使用する環境用の強化複合マットに向けられる。
【０００２】
【従来の技術】
米国特許２０９２１８３号は、河岸の水中体積物の付着成長（蓄積）を生ずるために沈殿物及び浮遊植物の捕捉を助けるように河岸の大きな構造体に形成されたワイヤーのシステムを明らかにする。
【０００３】
米国特許３５１７５１４号は、沈殿物を捕捉するように繊維の小さな房で形成された土壌保護用マットを開示する。
【０００４】
米国特許４００２０３４号は、土の表面の下方からの水圧の解放を許すと同時に護岸の侵食を防止するために、種々の孔寸法を有する不織繊維媒体及び圧力応答性フラップのある頂部カバーシートを明らかにする。このマットは椰子の繊維の第１層を開示するが、このマットは流水から沈殿物を集めるようには設計されないので出願人の発明とは異なる。
【０００５】
米国特許４１５９３６０号は。安定化されたウェブを有する織物を明らかにする。
【０００６】
米国特許４６６２７７８号は、突出型排水マットを開示する。
【０００７】
これらの特許は、いずれも水路ライニングに使用する環境マットに関連して出願人に知られた最も関連する従来技術である。
【０００８】
【課題を解決するための手段】
好ましい強化複合マットを確定するためにこの開示において使用される用語は次のとおりである。
【０００９】
「重量型」底部ネットは、ＡＳＴＭ試験法＃５０３５に従った引張り強さが０.８９３から７.１４３kg/cm（５から４０ポンド／インチ）の範囲を有するネット重量が１４.６４８から４３.９４４g/m2（３から９ポンド／１０００平方フィート）のネットを示す。
【００１０】
「超重量型」突出型ネットは、ＡＳＴＭ試験法＃５０３５に従った引張り強さが１.７８６から８.９２９kg/cm（１０から５０ポンド／インチ）の範囲を有するネット重量が４３.９４４から１２２.０６７g/m2（９から２５ポンド／１０００平方フィート）のネットを示す。
【００１１】
「繊維マトリックス」は、底部ネットと突出型ネットとの間に挟まれ多数の不規則に向けられた繊維により形成されたマトリックスを示す。
【００１２】
「長い」ストランドは、繊維マトリックス内の不規則に向けられた個々の繊維の長さに関連する。典型的な平均繊維ストランド長さは、使用された天然又は人工の繊維の形式に応じて、長さ２５.４から２５４mm（１から１０インチ）の範囲である。
【００１３】
本発明は、水路のライニングに使用する環境用の強化複合マットに向けられる。この強化複合マットは、播種された植物及び成熟した植生の永久的補強のために使用することができる。補強がない場合は、水路の植生は、水路面に結合するための各植物の根系にまず関連する。
【００１４】
人工マットで補強された根系を有する草が張られた水路は、補強されない草のライニングでの流速及び持続期間の２倍以上抵抗できる。従って、本発明は、捨石工及びコンクリート水路のみに予め特定されたような高流量水路に、植生の張られた水路の使用を拡張する。
【００１５】
従来の植生補強システムは、設置中に人手でマット上に土を満たすことが必要であり、これは実際的でなくかつ費用が高くかかり、更に植生の定着の前とその途中で水路の強い流れに対する適切な防護の提供に失敗することが多い。植生の根系システムは、周囲の基礎土壌が洗い去られるならば強化することができない。
【００１６】
ここに明らかにされた補強複合マットは、土を入れることなく水路面に直接設置され、そして自然の経過と関連して次の３段階の保護を促進するように作用する。段階１  前植生保護（０−６カ月）、段階２  植生設置（６−２４カ月）、段階３  成熟植生の保護（２４カ月以降）。
【００１７】
段階１中は、柔軟な補強複合マットは、水路内に設置され適切な止め具で確保される。補強複合マットは水路面を安定化し、安定した水路の進展のための土壌基礎を提供する。繊維マトリックスは水路を通過する流水からの沈殿物により迅速に満たされ、種子の発芽及び根系の定着を助長する。
【００１８】
段階２中は、沈殿物層及び落葉が補強複合マットを覆い、そして植物は根がマットを貫いて水路の土中に入り、面を横切って広がる。複合マットなしの場合は、水路内で成長する植物のまわりの土は露出して流し去られ、従来からあった土の侵食問題と組み合って水路の植生ライニングを危険にさらす。
【００１９】
段階３は、強化複合マット上に成熟した植生を提供し、これが植物ライニングシステムを強化し、上にある土、根及び下の土を一体化マットに統合する。このように形成された緻密なマトリックスは、植物の根を周囲の土に固定し、引張り力の大きい流れの場合に水路面から個々の植物が離されないように維持する。
【００２０】
強化複合マット及び成熟した植物ライニングは、水路の残存寿命のために水路に永久的安定を提供し、捨石工又はコンクリート水路ライニングに代わる費用効果と環境に優しい代替工法を提供する。
【００２１】
強化複合マットは、重量型の底部ネット、突出型ネットの幅を横切って実質的に平行に伸びている山と谷とを有する超重量型の突出型ネット、及び重量型の頂部ネットを備える。
【００２２】
底部ネットと突出型ネットとの間に、椰子繊維又は再生ナイロン繊維のような商業的に入手可能な繊維の長いストランドから形成された繊維マトリックスが挟まれる。底部ネット、繊維マトリックス、突出型ネット及び頂部ネットは、突出型ネットに形成された多数の山及び谷と接して間隔を空けて糸で縫うことにより互いに固定されることが好ましい。
【００２３】
底部ネット、繊維マトリックス、突出型ネット及び頂部ネットを一緒に固定する別の公知の手段を、この開示、又は特許請求の範囲から離れることなく使用することができる。
【００２４】
底部ネット、突出型ネット及び頂部ネットは、各が紫外線安定化プラスチック材料で形成されることが好ましい。底部ネット、頂部ネット及び突出型ネットの各は、長さが１.５６mmから５０.８mm（１/１６インチから２インチ）、幅が１.５６mmから５０.８mm（１/１６インチから２インチ）の選定された実質的に一様な間隔を有する多数の孔の格子を形成することが好ましい。この格子は、実質的に長方形の孔で形成されることが好ましい。菱形の孔のようなその他の孔の形も本発明の一部を形成する。
【００２５】
本発明の上述及びその他の特徴及び長所及びその達成方法は、本発明の実施例の付属図面に関連した以下の説明を参照することにより明らかとなり、かつ本発明自体がより良く理解されるであろう。
【００２６】
【発明を実行する最良のモード】
本発明の関連する事項は実施態様に特に指定されかつ明確に説明される。本発明の構造及び機能は、更なる目的及び長所と共に、付属図面に関連して与えられる以下の説明より、よく理解することができる。
【００２７】
図１Ａは、段階１の前植生水路の生育中、水路の両側１１、１３及び底１５を覆うように水路１２内に設置された本発明の強化複合マット１０の断面図である。強化複合マット１０は、水路の土１４及び種子１６の余分な侵食を防ぎ、同時に植物１８の定着を助けるために生育用媒体２６を提供するように根覆い２２と沈殿物２４を捕捉するために繊維ナイロン２０を提供する。
【００２８】
図１Ｂは、図１Ａの線Ｂ−Ｂにおける断面図であって、段階１の生育中、強化複合マット１０が水路の底１５に設置された状態における水路の流れの好ましい方向を示している。
【００２９】
図２Ａは段階２中、植生が水路に定着し生育中の、水路の側面１１、１３及び底を覆うように水路１２に設置された本発明の強化複合マット１０の断面図を示す。強化複合マット１０は、植物１８が水路１２の面から出てきてこの上で広がる環境を提供する。強化複合マット１０は、新たに播種された植物１８のまわり及び草又はその他の植物１８のまばらば区域における余分な侵食を防ぐ。強化複合マット１０は落葉２２，沈殿物２２及び植物のリター２８を捕捉し、植物１８の更なる世代のための生育用媒体２４の作り上げを助ける。
【００３０】
図２Ｂは、図２の線Ｂ−Ｂにおける断面図であって、段階２の生育中、図示の強化複合マットが水路の底１５に設置された状態における水路の流れの好ましい方向を示している。
【００３１】
図３Ａは、水路１２の側面１１、１３及び底１５の上に設置された本発明の強化複合マット１０の段階３、熟成した植生水路の生育段階における断面図である。段階３中、植生１８は水路１２の面で繁茂する。底部ネット３０、突出型ネット４０、及び頂部ネット５０は、草又はその他の植生１８、及び捕捉された沈殿物２４及び植物のリター２８の下に隠され、植物１８の根系を補強しかつ水路１２の高速な流れの際の植物１８の引き抜けを無くす。
【００３２】
図３Ｂは、図２Ａの線Ｂ−Ｂにおける断面図であって、段階３の水路の生育中、図示の強化複合マットが水路の底１５に設置された状態における水路の流れの好ましい方向を示している。
【００３３】
図４に最も良く示されるように、強化複合マットは、重量型の底部ネット３０、椰子繊維の多数のストランドで構成することが好ましい繊維マトリックス２０、超重量型の突出型ネット４０、及び重量型の頂部ネット５０を備える。底部ネット３０、突出型ネット４０、及び頂部ネット５０の各は、その意図された環境における長い寿命及び一体性を確保するために紫外線で安定化されたプラスチック材料で形成されることが好ましい。
【００３４】
図５Ａに最もよく示されるように、頂部ネット５０及び底部ネット３０は、多数の孔３４を形成している紫外線で安定化された重量型のプラスチック材料で形成されることが好ましい。重量型の頂部ネット５０及び底部ネット３０の各は、単位面積あたり重量がほぼ１４.６５g/m2（３ポンド/１０００平方フィート）であることが好ましい。
【００３５】
孔３４は、長さ３６が１.５６mmから５０.８mm（１/１６インチから２インチ）、幅３８が１.５６mmから５０.８mm（１/１６インチから２インチ）の選定された実質的に一様な間隔を有する実質的に長方形のものであることが好ましい。図５Ａにおいては実質的に長方形の孔３４が示されるが、菱形の孔３４のようなその他の孔の形状が図５Ｂに示される。これらはこの開示及び特許請求の範囲内にあることが意図される。
【００３６】
図６に最もよく示されるように、突出型ネット４０は、多数の孔４４を形成している紫外線安定化の重量型のプラスチック材料で形成されることが好ましい。突出型ネット４０は、単位面積あたり重量がほぼ２４.４１g/m2（５ポンド/１０００平方フィート）であることが好ましい。孔４４は、長さ４３が１.５６mmから５０.８mm（１/１６インチから２インチ）、幅４５が１.５６mmから５０.８mm（１/１６インチから２インチ）の選定された実質的に一様な間隔を有する実質的に長方形のものであることが好ましい。これに代わって、図５Ｂに示されるような菱形の孔のようなその他の孔の形状３４も、突出型ネット４０の格子を形成するために使用することができる。
【００３７】
図４及び６に最もよく示されるように、突出型ネット４０は、これの幅４７を横切って実質的に平行に伸びている多数の交互になっている山４６と谷４８によりひだをつけられる。山４６と谷４８とは、高さが３.１８mmから２５.４mm（１/８インチから１インチ）の間から選定された実質的に均一な高さ４１のものであり、強化複合マット１０の強度と安定度と大きくするように作用する３次元の突出型ネット４０の格子を形成している。
【００３８】
突出型ネット４０は、段階１の生育中、保護される区域を提供し、根覆い２２、沈殿物２４及び植物のリター２８を捕捉し、種子１６を保護する。３次元の突出型ネット４０の格子が、段階２の植物生長中の植物１８の発芽のため、及び段階３の植物生育中の植物１８の第２世代及び第３世代の立木支持のための、理想的な生長用媒体２６を更に提供する。
【００３９】
図５Ａに最もよく示されるように、頂部ネット５０は、多数の孔５４を形成しているプラスチック製の重量型格子５２で形成されることが好ましい。孔５４は、長さ５６が１.５６mmから５０.８mm（１/１６インチから２インチ）、幅５８が１.５６mmから５０.８mm（１/１６インチから２インチ）の選定された実質的に一様な間隔を有する実質的に長方形のものであることが好ましい。
【００４０】
底部ネット３０の孔３４、突出型ネット４０の孔４４、及び頂部ネット５０の孔５４は実質的に長方形の格子５２を形成することが好ましいが、本発明の範囲内において、ネット装置の製造において使用されるようなその他の公知の孔の形状を含み、かつかかるその他の公知の孔の形状は特許請求の範囲内にあることが意図される。
【００４１】
再び図４を参照すれば、繊維マトリックス２０は、底部ネット３０と突出型ネット４０に形成された谷４８との間に確保される。頂部ネット５０は、突出型ネットの山４６に隣接して確保され、複合マット１０に更なる強度と安定性とを加える。
【００４２】
繊維マトリックス２０は、底部ネット３０と突出型ネット４０との間の空間を実質的に満たし、突出型ネット４０の山４６と谷４８とに一般に一致する繊維マトリックス２０の山２７と谷２９とを形成する。
【００４３】
底部ネット３０、繊維マトリックス２０、突出型ネット４０及び頂部ネット５０は、６０ないし１００％ポリエステルの黒糸のストランドで突出型４０に形成された多数の山４６と谷４８とに接して間隔を空けて縫うことにより互いに固定されることが好ましい。通されたストランド６０は、頂部ネット５０の部分を突出型ネット４０の山４６の部分に隣接させて固定する。通されたストランド６０は、更に底部ネット３０の部分を突出型ネット４０に形成された谷４８の部分に隣接させて固定し、これによりこれらの間に繊維マトリックス材料２０を挟んで捕捉する。
【００４４】
強化複合マット１０をその意図された環境における貯蔵、設置及び長期使用中、確実に一緒に留めるために、接着、熱結合、機械式固定具などのような底部ネット、繊維マトリックス突出型ネット及び頂部ネットを一緒に固定するための適宜の公知手段を使うことができる。
【００４５】
ここに明らかにされた強化複合マット１０は、３段階の水路生育中を通じて、間欠的な断水流を有する水路１２のライニング用として意図される。
【００４６】
底部ネット３０は、繊維マトリックス２０のための構造的な支持と保存とを提供し、かつ水路２０の流速が高いときの繊維の損失を減らすように作用する。
【００４７】
繊維マトリックス２０は、図１Ａ及び１Ｂに最も良く示されたような水路の段階１の生育中における種子１６の保護のために、一時的及び長期的な侵食防護と根覆い２２の捕捉を提供する。繊維マトリックス２０は、図２Ａ及び２Ｂに最も良く示される段階２の水路生育中の水路１２の面における植生１８の定着を支援するための保護環境も提供する。
【００４８】
突出型ネット４０の山４６と谷４８とは、底部ネット３０と突出型ネット４０との間に繊維マトリックス２０を保持し、沈殿物を捕捉しかつ図３Ａ及び３Ｂに最もよく示される段階３の水路生育中の永久的な植物の根の強化用媒体を形成する。
【００４９】
突出型ネット４０は、期待される水路１２の流れと直角方向にマット４０の横断方向（幅方向）４５を横切る一連の山４６と谷４８とを形成し、これらは沈殿物２４及び落ち葉を良く捕捉するように作用し、自然土壌１４の充填を促進し、水路１２の面における樹木１８と植生の根の強化を促進する。図１Ｂ、２Ｂ及び３Ｂ参照。
【００５０】
突出型ネット４０の高さ４１は強化複合マット１０を強化するように作用し、同時に、こうして形成された山４６と谷４８における永久的な植生１８の根の補強媒体を形成する。
【００５１】
頂部ネット５０は下にある突出型ネット４０を支持して、設置中における山４６と谷４８の引張りと平坦化とを減らし、水路１２のライニングの意図された環境での使用を促進する。頂部ネット５０は突出型ネット４０の谷４８と山４６の上方で架橋し、これらの間に沈殿物２４と植物のリター２８とを捕捉する。頂部ネット５０は、谷４８から根覆い２２と土とが洗い流されることを減らすように作用し、永久的な植生１８の根の強化を与え、水路生育の３段階を通しての水路１２のライニングのための改良された環境を提供する。
【００５２】
突出型ネット４０の山４６と谷４８とは、水路の意図された流れ方向と接して水路の流れの中に設置するように意図される。図１Ｂ、２Ｂ及び３Ｂ参照。これは、突出型ネット４０の山４６と谷４８との間に沈殿物２４を捕捉することを助け、かつ水路１２の流速が高いときに捕捉沈殿物２４が洗い去られることを減らす。
【００５３】
種子１６は、段階１の水路１２の生育準備段階において、強化複合マット１０が水路１２の面に沿って設置されるより前に繊維マトリックス２０内に入れることできる。
【００５４】
【産業上の応用可能性】
本発明は環境土壌の侵食制御における使用、特に間欠的な水路の流れを有する水路のライニングにおける使用を意図する。
【００５５】
【結論】
本発明は例示の実施例に関連して図示され説明されたが、本明細書は本発明の図解説明であり、厳密にこの実施例自体に限定する意味ではないことが理解されるであろう。技術熟練者が本発明の多くの変更及び付加を行い得ること、及びかかる変更及び追加は本発明の同等品として特許請求の範囲内に含まれることが意図されることを合理的に期待される。
【００５６】
本発明の実施態様は以下のとおりである。
【００５７】
１．ａ）重量型底部ネット、
ｂ）選定された幅を有する超重量型の突出型ネットであって、交互になっている多数の山と谷とが突出型ネットの幅を横切り実質的に平行な関係で伸びている前記超重量型の突出型ネット、
ｃ）底部ネットと突出型ネットとの間に挟まれた繊維マトリックスであって、底部ネットが突出型ネットの谷に隣接して繊維マトリックスを通る間隔の空けられた配列で固定される前記繊維マトリックス、及び
ｄ）突出型ネットの山に隣接して間隔を空けられた配列で固定された重量型頂部ネット
を備えた水路ライニング用の強化複合マット。
【００５８】
２．底部ネットが多数の実質的に長方形の孔により形成された格子を備え、各孔は、長さが１.５６mmから５０.８mm（１/１６インチから２インチ）、幅が１.５６mmから５０.８mm（１/１６インチから２インチ）の選定された実質的に一様な間隔を有している実施態様１による強化複合マット。
【００５９】
３．突出型ネットが多数の実質的に長方形の孔により形成された格子を備え、各孔は、長さが１.５６mmから５０.８mm（１/１６インチから２インチ）、幅が１.５６mmから５０.８mm（１/１６インチから２インチ）の選定された実質的に一様な間隔を有している実施態様２１による強化複合マット。
【００６０】
４．頂部ネットが、多数の実質的に長方形の孔により形成された格子を備え、各孔は、長さが１.５６mmから５０.８mm（１/１６インチから２インチ）、幅が１.５６mmから５０.８mm（１/１６インチから２インチ）の選定された実質的に一様な間隔を有している実施態様１の強化複合マット。
【００６１】
５．底部ネットが紫外線安定化プラスチック材料で形成される実施態様１の複合マット。
【００６２】
６．突出型ネットが紫外線安定化プラスチック材料で形成される実施態様１の複合マット。
【００６３】
７．頂部ネットが紫外線安定化プラスチック材料で形成される実施態様１の複合マット。
【００６４】
８．底部ネットは、突出型ネットに形成された多数の山と谷と直角で間隔を空けられて底部ネットと突出型ネットとを通るポリエステルの黒糸で縫うことにより突出型ネットに固定される実施態様１の複合マット。
【００６５】
９．頂部ネットは、突出型ネットに形成された多数の山と谷に接して間隔を空けられて頂部ネットと突出型ネットとを通るポリエステルの黒糸で縫うことにより突出型ネットに固定される実施態様１の複合マット。
【００６６】
１０．底部ネット、繊維マトリックス、突出型ネット及び頂部ネットは、突出型ネットに形成された多数の山と谷に接して間隔を空けられてポリエステルの糸で縫うことにより全てが一緒に固定される実施態様１の複合マット。
【００６７】
１１．繊維マトリックスが椰子繊維の多数の長いストランドを備える実施態様１の複合マット。
【００６８】
１２．底部ネットの各が多数の実質的に菱形にされた孔で形成された格子を備える実施態様１の複合マット。
【００６９】
１３．突出型ネットに形成された山と谷とが、頂部ネットと底部ネットとの間において高さ３.１８mmから２５.４mm（１/８インチから１インチ）で伸びるように選定された寸法にされる実施態様１の複合マット。
【００７０】
１４．突出型ネットに形成された山と谷とが、水路の流れの方向と直角に水路の流れに設置されるように意図される実施態様１の複合マット。
【００７１】
１５．ａ）間に孔の格子を形成している選定された幅の重量型底部ネット、
ｂ）間に孔の格子を形成している選定された幅の超重量型の突出型ネットであって、交互になっている多数の山と谷とが突出型ネットの幅を横切り実質的に平行な関係で伸びている前記超重量型の突出型ネット、
ｃ）底部ネットと突出型ネットとの間に挟まれた椰子繊維マトリックスであって、底部ネットが突出型ネットの谷のごく近くで繊維マトリックスを通る間隔の空けられた配列で固定される前記椰子繊維マトリックス、及び
ｄ）間に多数の孔を有する格子で形成された重量型頂部ネットであって、頂部ネットが突出型ネットの山に隣接した間隔を空けられた配列で固定される前記重量型頂部ネット
を備えた水路ライニング用の強化複合マット。
【００７２】
１６．底部ネット、突出型ネット及び頂部ネットの各が紫外線安定化プラスチック材料で形成される実施態様１５の複合マット。
【００７３】
１７．底部ネット、繊維マトリックス、突出型ネット及び頂部ネットが、突出型ネットに形成された実質的に平行な多数の山と谷に接して間隔を空けられて通されたストランドで縫うことにより全てが一緒に固定される実施態様１５の複合マット。
【００７４】
１８．侵食の管理を改善するために天然土壌の充填及び植物の根のからまりを促進するように沈殿物、根覆い、葉及び落ち葉を捕捉する水路ライニングのための３段階指揮強化複合マットであって、
ａ）間に孔の格子を形成している重量型の紫外線安定化底部ネット、
ｂ）選定された幅の超重量型の紫外線安定化突出型ネットであって、突出型マットの幅を横切り実質的に平行な関係で伸びている交互になっている多数の山と谷とを有する前記超重量型の突出型ネット、
ｃ）底部ネットと突出型ネットとの間に挟まれた椰子繊維マトリックスであって、底部ネットが突出型ネットの谷のごく近くで繊維マトリックスを通る間隔の空けられた配列で固定される前記椰子繊維マトリックス、及び
ｄ）突出型ネットの山に隣接して間隔を空けられた配列で固定された重量型頂部ネット
を備え、
底部ネットは構造的支持部及び水路の流速が早い場合の繊維の損失を無くすための椰子繊維マトリックスの保持部として作用し；突出型ネットは沈殿物及び落ち葉を捕捉するため、天然土壌の充填と根の強化を促進するために、下側にある椰子繊維マトリックスと関連して３次元構造を形成し；椰子繊維マトリックスは下にある土、種子及び水分を保持することにより水路面のための侵食の制御と根覆いの堆積を一時的的及び長期に提供し、また頂部ネットは下にある突出型ネットを支持して水路ライニングの設置中及び使用中における山と谷の引張りと平坦化とを減らし、同時に突出型ネットの谷の上に架橋して、土、葉及び落ち葉の収容を助け、最終的に植物の根のからまりと補強のための永久的なマトリックスを提供する完全な３次元構造を形成する３段階強化複合マット。
【００７５】
１９．底部ネット、繊維マトリックス、突出型ネット及び頂部ネットは、突出型ネットに形成された多数の山と谷に実質的に接して間隔を空けられた関係で糸で縫うことにより全てが一緒に固定される実施態様１８の複合マット。
【００７６】
２０．突出型マットの山と谷とが水路の計画された流れの方向と実質的に接して設置されるように意図される実施態様１８の複合マット。
【図面の簡単な説明】
【図１】Ａは段階１の水路生育中、水路に環境的侵食の防護を与えるために水路に置かれた強化複合マットの断面図であり、Ｂは段階１の水路生育中、水路の流れの方向を示す図１Ａの線Ｂ−Ｂに沿って得られた断面図である。
【図２】Ａは段階２の水路生育中、水路に置かれた強化複合マットの断面図であり、Ｂは段階２の水路生育中、水路の流れの方向を示す図２Ａの線Ｂ−Ｂに沿って得られた断面図である。
【図３】Ａは段階３の水路生育中、水路に置かれた強化複合マットの断面図であり、Ｂは段階３の水路生育中、水路の流れの方向を示す図２Ａの線Ｂ−Ｂに沿って得られた断面図である。
【図４】ここに開示される強化複合マットを形成している底部ネット、繊維マトリックス、突出型ネット及び頂部ネットが互いに固定されたところを示している強化複合マットの断面図である。
【図５】Ａは実質的に長方形の孔を示している頂部ネットと底部ネットの一部分の平面図であり、Ｂは実質的に菱形の孔を示している頂部ネットと底部ネットの一部分の平面図である。
【図６】突出型ネットの幅を横切って実質的に平行に伸びているひだの付けられた山と谷とを示している突出型ネットの一部分の斜視図である。
【図７】底部ネット、繊維マトリックス、及び強化複合マットを一緒に固定するために使用される糸を示している底視図である。
【図１】
0003810198.tif 000002
【図２】
0003810198.tif 000003
【図３】
0003810198.tif 000004
【図４】
0003810198.tif 000005
【図５】
0003810198.tif 000006
【図６】
0003810198.tif 000007
【図７】
0003810198.tif 000008